(57)【要約】【課題】光ディスクの規格の種別を判別して再生する。【解決手段】光ディスク再生装置１００において、光ディスクドライブ１０１はＤＶＤからデータを読み取って再生するときのレーザ波長と開口数とを用いて光ディスクにレーザ光を照射する。制御部１０８は反射光強度を取得して、反射光強度が第１の閾値以上のときＤＶＤと判別し、第２の閾値以上第１の閾値未満のときＨＤＤＶＤであると判別し、第３の閾値以上第２の閾値未満のときＣＤと判別し、第４の閾値以上第３の閾値未満のときＢＤと判別し、それ以外のとき再生できる光ディスクが装着されていないと判別する。【選択図】図１
2008041168.tif 000002
【特許請求の範囲】
【請求項１】
第１の規格及び第２の規格を含む複数の規格のいずれかに準拠した光ディスクを再生する光ディスク再生装置であって、
前記光ディスクに所定の波長のレーザ光を照射する照射手段と、
前記照射手段により照射される前記レーザ光が前記光ディスクに焦点が合うように対物レンズの位置を制御するフォーカス制御を行う制御手段と、
前記照射手段により照射された前記レーザ光の、前記光ディスクによる反射光の強度を取得する反射光取得手段と、
前記反射光取得手段により取得された前記強度に基づいて、前記光ディスクの規格の種別を判別する規格判別手段と、
前記規格判別手段により判別された判別結果に基づいて、前記光ディスクに記録されたデータを読み出して再生する再生手段と、
を備え、
前記規格判別手段は、前記反射光取得手段により取得された前記強度が第１の閾値以上の場合、前記光ディスクが前記第１の規格に準拠した光ディスクであると判別し、前記反射光取得手段により取得された前記強度が当該第１の閾値よりも小さい第２の閾値以上で、且つ、当該第１の閾値未満の場合、前記光ディスクが前記第２の規格に準拠した光ディスクであると判別する
ことを特徴とする光ディスク再生装置。
【請求項２】
第１の規格及び第２の規格を含む複数の規格のいずれかに準拠した光ディスクを再生する光ディスク再生装置であって、
前記光ディスクに所定の波長のレーザ光を照射する照射手段と、
前記照射手段により照射される前記レーザ光が前記光ディスクに焦点が合うように対物レンズの位置を制御するフォーカス制御を行う第１の制御手段と、
前記照射手段により照射される前記レーザ光が、前記光ディスクの記録面のピット列を含むトラックに照射されるように制御するトラッキング制御を行う第２の制御手段と、
前記照射手段により照射された前記レーザ光の、前記光ディスクによる反射光の強度を取得する反射光取得手段と、
前記第２の制御手段によるトラッキング制御が成功したか否かを判別するトラッキング判別手段と、
前記反射光取得手段により取得された前記強度と、前記トラッキング判別手段による判別結果とに基づいて、前記光ディスクの規格の種別を判別する規格判別手段と、
前記規格判別手段により判別された判別結果に基づいて、前記光ディスクに記録されたデータを読み出して再生する再生手段と、
を備え、
前記規格判別手段は、前記反射光取得手段により取得された前記強度が第１の閾値以上で、且つ、前記トラッキング判別手段によりトラッキング制御が成功したと判別された場合、前記光ディスクが前記第１の規格に準拠した光ディスクであると判別し、前記反射光取得手段により取得された前記強度が第１の閾値以上で、且つ、前記トラッキング判別手段によりトラッキング制御が成功しないと判別された場合、前記光ディスクが前記第２の規格に準拠した光ディスクであると判別する
ことを特徴とする光ディスク再生装置。
【請求項３】
前記再生手段は、前記規格判別手段による判別結果に基づいて、前記照射手段により照射される前記レーザ光の波長、及び、前記対物レンズの開口数を、予め規格の種別毎に対応づけられた所定の波長及び開口数に設定して再生する
ことを特徴とする、請求項１又は２に記載の光ディスク再生装置。
【請求項４】
前記規格判別手段により判別されるときに前記照射手段により照射される前記レーザ光の波長は、前記再生手段がＤＶＤ（Digital Versatile Disk）規格に準拠した光ディスクからデータを読み出すときに用いる波長である
ことを特徴とする、請求項１又は２に記載の光ディスク再生装置。
【請求項５】
前記規格判別手段により判別されるときの前記対物レンズの開口数は、前記再生手段がＤＶＤ規格に準拠した光ディスクからデータを読み出すときに用いる開口数である
ことを特徴とする、請求項４に記載の光ディスク再生装置。
【請求項６】
前記規格判別手段により判別された判別結果に基づいて、前記照射手段により照射されるレーザ光の波長、及び、前記対物レンズの開口数を、予め規格の種別毎に対応づけられた所定の波長及び開口数に設定して、前記光ディスクにデータを記録する記録手段を更に備える
ことを特徴とする、請求項１又は２に記載の光ディスク再生装置。
【請求項７】
照射部、制御部、反射光取得部、規格判別部、再生部を有する、第１の規格及び第２の規格を含む複数の規格のいずれかに準拠した光ディスクを再生する光ディスク再生装置にて実行される光ディスク再生方法であって、
前記照射部は、前記光ディスクに所定の波長のレーザ光を照射し、
前記制御部が、前記照射部により照射される前記レーザ光が前記光ディスクに焦点が合うように対物レンズの位置を制御するフォーカス制御を行う制御ステップと、
前記反射光取得部が、前記照射部により照射された前記レーザ光の前記光ディスクによる反射光の強度を取得する反射光取得ステップと、
前記規格判別部が、前記反射光取得ステップにより取得された前記強度に基づいて、前記光ディスクの規格の種別を判別する規格判別ステップと、
前記再生部が、前記規格判別ステップにより判別された判別結果に基づいて、前記光ディスクに記録されたデータを読み出して再生する再生ステップと、
を備え、
前記規格判別ステップは、前記反射光取得ステップにより取得された前記強度が第１の閾値以上の場合、前記光ディスクが前記第１の規格に準拠した光ディスクであると判別し、前記反射光取得ステップにより取得された前記強度が当該第１の閾値よりも小さい第２の閾値以上で、且つ、当該第１の閾値未満の場合、前記光ディスクが前記第２の規格に準拠した光ディスクであると判別する
ことを特徴とする光ディスク再生方法。
【請求項８】
照射部、第１の制御部、第２の制御部、反射光取得部、トラッキング判別部、規格判別部、再生部を有する、第１の規格及び第２の規格を含む複数の規格のいずれかに準拠した光ディスクを再生する光ディスク再生装置にて実行される光ディスク再生方法であって、
前記照射部は、前記光ディスクに所定の波長のレーザ光を照射し、
前記照射部により照射される前記レーザ光が前記光ディスクに焦点が合うように対物レンズの位置を制御するフォーカス制御を、前記第１の制御部が行う第１の制御ステップと、
前記照射部により照射される前記レーザ光が前記光ディスクの記録面のピット列を含むトラックに照射されるように制御するトラッキング制御を、前記第２の制御部が行う第２の制御ステップと、
前記反射光取得部が、前記照射部により照射された前記レーザ光の前記光ディスクによる反射光の強度を取得する反射光取得ステップと、
前記トラッキング判別部が、前記第２の制御ステップによるトラッキング制御が成功したか否かを判別するトラッキング判別ステップと、
前記規格判別部が、前記反射光取得ステップにより取得された前記強度と、前記トラッキング判別ステップによる判別結果とに基づいて、前記光ディスクの規格の種別を判別する規格判別ステップと、
前記再生部が、前記規格判別ステップにより判別された判別結果に基づいて、前記光ディスクに記録されたデータを読み出して再生する再生ステップと、
を備え、
前記規格判別ステップは、前記反射光取得ステップにより取得された前記強度が第１の閾値以上で、且つ、前記トラッキング判別手段によりトラッキング制御が成功したと判別された場合、前記光ディスクが前記第１の規格に準拠した光ディスクであると判別し、前記反射光取得ステップにより取得された前記強度が第１の閾値以上で、且つ、前記トラッキング判別ステップによりトラッキング制御が成功しないと判別された場合、前記光ディスクが前記第２の規格に準拠した光ディスクであると判別する
ことを特徴とする光ディスク再生方法。
【請求項９】
光ディスクに所定の波長のレーザ光を照射する照射手段を有し、第１の規格及び第２の規格を含む複数の規格のいずれかに準拠した光ディスクを再生するコンピュータを、
前記照射手段により照射される前記レーザ光が、前記光ディスクに焦点が合うように対物レンズの位置を制御するフォーカス制御を行う制御手段、
前記照射手段により照射された前記レーザ光の、前記光ディスクによる反射光の強度を取得する反射光取得手段、
前記反射光取得手段により取得された前記強度に基づいて、前記光ディスクの規格の種別を判別する規格判別手段、
前記規格判別手段により判別された判別結果に基づいて、前記光ディスクに記録されたデータを読み出して再生する再生手段、
として機能させ、
前記規格判別手段は、前記反射光取得手段により取得された前記強度が第１の閾値以上の場合、前記光ディスクが前記第１の規格に準拠した光ディスクであると判別し、前記反射光取得手段により取得された前記強度が当該第１の閾値よりも小さい第２の閾値以上で、且つ、当該第１の閾値未満の場合、前記光ディスクが前記第２の規格に準拠した光ディスクであると判別する
ことを特徴とするプログラム。
【請求項１０】
光ディスクに所定の波長のレーザ光を照射する照射手段を有し、第１の規格及び第２の規格を含む複数の規格のいずれかに準拠した光ディスクを再生するコンピュータを、
前記照射手段により照射される前記レーザ光が、前記光ディスクに焦点が合うように対物レンズの位置を制御するフォーカス制御を行う第１の制御手段、
前記照射手段により照射される前記レーザ光が、前記光ディスクの記録面のピット列を含むトラックに照射されるように制御するトラッキング制御を行う第２の制御手段、
前記照射手段により照射された前記レーザ光の、前記光ディスクによる反射光の強度を取得する反射光取得手段、
前記第２の制御手段によるトラッキング制御が成功したか否かを判別するトラッキング判別手段、
前記反射光取得手段により取得された前記強度と、前記トラッキング判別手段による判別結果とに基づいて、前記光ディスクの規格の種別を判別する規格判別手段、
前記規格判別手段により判別された判別結果に基づいて、前記光ディスクに記録されたデータを読み出して再生する再生手段、
として機能させ、
前記規格判別手段は、前記反射光取得手段により取得された前記強度が第１の閾値以上で、且つ、前記トラッキング判別手段によりトラッキング制御が成功したと判別された場合、前記光ディスクが前記第１の規格に準拠した光ディスクであると判別し、前記反射光取得手段により取得された前記強度が第１の閾値以上で、且つ、前記トラッキング判別手段によりトラッキング制御が成功しないと判別された場合、前記光ディスクが前記第２の規格に準拠した光ディスクであると判別する
ことを特徴とするプログラム。
【発明の詳細な説明】
【技術分野】
【０００１】
本発明は、光ディスクの規格の種別を判別して再生するために好適な光ディスク再生装置、光ディスク再生方法、ならびに、プログラムに関する。
【背景技術】
【０００２】
光ディスクの規格にはＣＤ（Compact Disc）、ＤＶＤ（Digital Versatile Disk）など様々な種類が存在する。そして、次世代の光ディスクの規格として、例えば、Ｂｌｕ−ｒａｙ  ＤＩＳＣ（登録商標。以下「ＢＤ」と呼ぶ）、ＨＤＤＶＤ（High Definition DVD；登録商標）が提案され商品開発が進んでいる。それぞれの規格で用いられるレーザ光の波長、焦点距離、光ピックアップ開口数（ＮＡ；Numerical Aperture）などの特性は異なるため、従来は、例えば特許文献１のように、所定の波長のレーザ光や焦点距離などを有する複数の光ピックアップ部を使い分けて、光ディスクの規格の種別を判別していた。
【特許文献１】特開２００６−０３１７７９公報
【発明の開示】
【発明が解決しようとする課題】
【０００３】
しかし、従来技術によれば、光ディスク再生装置は、規格の種別を判別するために複数の波長のレーザ光を照射する必要があるため、規格を判別するまでに多くの時間を要し、この判別を行うためのアルゴリズムも複雑であった。
【０００４】
本発明は、このような課題を解決するものであり、光ディスクの規格の種別を判別して再生するために好適な光ディスク再生装置、光ディスク再生方法、ならびに、プログラムを提供することを目的とする。
【課題を解決するための手段】
【０００５】
上記目的を達成するため、本発明の第１の観点に係る光ディスク再生装置は、第１の規格及び第２の規格を含む複数の規格のいずれかに準拠した光ディスクを再生する光ディスク再生装置であって、照射手段、制御手段、反射光取得手段、規格判別手段、及び、再生手段を備える。
照射手段は、光ディスクに所定の波長のレーザ光を照射する。
制御手段は、照射手段により照射されるレーザ光が、光ディスクに焦点が合うように対物レンズの位置を制御するフォーカス制御を行う。
反射光取得手段は、照射手段により照射されたレーザ光の、光ディスクによる反射光の強度を取得する。
規格判別手段は、反射光取得手段により取得された強度に基づいて、光ディスクの規格の種別を判別する。
再生手段は、規格判別手段により判別された判別結果に基づいて、光ディスクに記録されたデータを読み出して再生する。
そして、規格判別手段は、反射光取得手段により取得された強度が第１の閾値以上の場合、この光ディスクが第１の規格に準拠した光ディスクであると判別し、反射光取得手段により取得された強度が第１の閾値よりも小さい第２の閾値以上で、且つ、第１の閾値未満の場合、この光ディスクが第２の規格に準拠した光ディスクであると判別する。
【０００６】
上記目的を達成するため、本発明のその他の観点に係る光ディスク再生装置は、第１の規格及び第２の規格を含む複数の規格のいずれかに準拠した光ディスクを再生する光ディスク再生装置であって、照射手段、第１の制御手段、第２の制御手段、反射光取得手段、トラッキング判別手段、規格判別手段、及び、再生手段を備える。
照射手段は、光ディスクに所定の波長のレーザ光を照射する。
第１の制御手段は、照射手段により照射されるレーザ光が、光ディスクに焦点が合うように対物レンズの位置を制御するフォーカス制御を行う。
第２の制御手段は、照射手段により照射されるレーザ光が、光ディスクの記録面のピット列を含むトラックに照射されるように制御するトラッキング制御を行う。
反射光取得手段は、照射手段により照射されたレーザ光の、光ディスクによる反射光の強度を取得する。
トラッキング制御手段は、第２の制御手段によるトラッキング制御が成功したか否かを判別する。
規格判別手段は、反射光取得手段により取得された強度と、トラッキング判別手段による判別結果とに基づいて、光ディスクの規格の種別を判別する。
再生手段は、規格判別手段により判別された判別結果に基づいて、光ディスクに記録されたデータを読み出して再生する。
そして、規格判別手段は、反射光取得手段により取得された強度が第１の閾値以上で、且つ、トラッキング判別手段によりトラッキング制御が成功したと判別された場合、この光ディスクが第１の規格に準拠した光ディスクであると判別し、反射光取得手段により取得された強度が第１の閾値以上で、且つ、トラッキング判別手段によりトラッキング制御が成功しないと判別された場合、この光ディスクが第２の規格に準拠した光ディスクであると判別する。
【０００７】
再生手段は、規格判別手段による判別結果に基づいて、照射手段により照射されるレーザ光の波長、及び、対物レンズの開口数を、予め規格の種別毎に対応づけられた所定の波長及び開口数に設定して再生することができる。
【０００８】
規格判別手段により判別されるときに照射手段により照射されるレーザ光の波長は、再生手段がＤＶＤ（Digital Versatile Disk）規格に準拠した光ディスクからデータを読み出すときに用いる波長を用いることができる。
【０００９】
規格判別手段により判別されるときの対物レンズの開口数は、再生手段がＤＶＤ規格に準拠した光ディスクからデータを読み出すときに用いる開口数を用いることができる。
【００１０】
光ディスク再生装置は、規格判別手段により判別された判別結果に基づいて、照射手段により照射されるレーザ光の波長、及び、対物レンズの開口数を、予め規格の種別毎に対応づけられた所定の波長及び開口数に設定して、光ディスクにデータを記録する記録手段を更に備えていてもよい。
【００１１】
上記目的を達成するため、本発明のその他の観点に係る光ディスク再生方法は、照射部、制御部、反射光取得部、規格判別部、再生部を有する、第１の規格及び第２の規格を含む複数の規格のいずれかに準拠した光ディスクを再生する光ディスク再生装置にて実行される光ディスク再生方法であって、制御ステップ、反射光取得ステップ、規格判別ステップ、及び、再生ステップを備える。
照射部は、光ディスクに所定の波長のレーザ光を照射する。
制御ステップは、制御部が、照射部により照射されるレーザ光が光ディスクに焦点が合うように対物レンズの位置を制御するフォーカス制御を行う。
反射光取得ステップは、反射光取得部が、照射部により照射されたレーザ光の光ディスクによる反射光の強度を取得する。
規格判別ステップは、規格判別部が、反射光取得ステップにより取得された強度に基づいて、光ディスクの規格の種別を判別する。
再生ステップは、再生部が、規格判別ステップにより判別された判別結果に基づいて、光ディスクに記録されたデータを読み出して再生する。
そして、規格判別ステップは、反射光取得ステップにより取得された強度が第１の閾値以上の場合、光ディスクが第１の規格に準拠した光ディスクであると判別し、反射光取得ステップにより取得された強度が第１の閾値よりも小さい第２の閾値以上且つ第１の閾値未満の場合、光ディスクが第２の規格に準拠した光ディスクであると判別する。
【００１２】
上記目的を達成するため、本発明のその他の観点に係る光ディスク再生方法は、照射部、第１の制御部、第２の制御部、反射光取得部、トラッキング判別部、規格判別部、再生部を有する、第１の規格及び第２の規格を含む複数の規格のいずれかに準拠した光ディスクを再生する光ディスク再生装置にて実行される光ディスク再生方法であって、第１の制御ステップ、第２の制御ステップ、反射光取得ステップ、トラッキング判別ステップ、規格判別ステップ、及び、再生ステップを備える。
照射部は、光ディスクに所定の波長のレーザ光を照射する。
第１の制御ステップは、照射部により照射されるレーザ光が光ディスクに焦点が合うように対物レンズの位置を制御するフォーカス制御を、第１の制御部が行う。
第２の制御ステップは、照射部により照射されるレーザ光が光ディスクの記録面のピット列を含むトラックに照射されるように制御するトラッキング制御を、第２の制御部が行う。
反射光取得ステップは、反射光取得部が、照射部により照射されたレーザ光の光ディスクによる反射光の強度を取得する。
トラッキング判別ステップは、トラッキング判別部が、第２の制御ステップによるトラッキング制御が成功したか否かを判別する。
規格判別ステップは、規格判別部が、反射光取得ステップにより取得された強度と、トラッキング判別ステップによる判別結果とに基づいて、光ディスクの規格の種別を判別する。
再生ステップは、再生部が、規格判別ステップにより判別された判別結果に基づいて、光ディスクに記録されたデータを読み出して再生する。
そして、規格判別ステップは、反射光取得ステップにより取得された強度が第１の閾値以上で、且つ、トラッキング判別手段によりトラッキング制御が成功したと判別された場合、光ディスクが第１の規格に準拠した光ディスクであると判別し、反射光取得ステップにより取得された強度が第１の閾値以上で、且つ、トラッキング判別ステップによりトラッキング制御が成功しないと判別された場合、光ディスクが第２の規格に準拠した光ディスクであると判別する。
【００１３】
上記目的を達成するため、本発明のその他の観点に係るプログラムは、光ディスクに所定の波長のレーザ光を照射する照射手段を有し、第１の規格及び第２の規格を含む複数の規格のいずれかに準拠した光ディスクを再生するコンピュータを、制御手段、反射光取得手段、規格判別手段、及び、再生手段として機能させる。
制御手段は、照射手段により照射されるレーザ光が、光ディスクに焦点が合うように対物レンズの位置を制御するフォーカス制御を行う。
反射光取得手段は、照射手段により照射されたレーザ光の、光ディスクによる反射光の強度を取得する。
規格判別手段は、反射光取得手段により取得された強度に基づいて、光ディスクの規格の種別を判別する。
再生手段は、規格判別手段により判別された判別結果に基づいて、光ディスクに記録されたデータを読み出して再生する。
そして、規格判別手段は、反射光取得手段により取得された強度が第１の閾値以上の場合、光ディスクが第１の規格に準拠した光ディスクであると判別し、反射光取得手段により取得された強度が第１の閾値よりも小さい第２の閾値以上且つ第１の閾値未満の場合、光ディスクが第２の規格に準拠した光ディスクであると判別する。
【００１４】
上記目的を達成するため、本発明のその他の観点に係るプログラムは、光ディスクに所定の波長のレーザ光を照射する照射手段を有し、第１の規格及び第２の規格を含む複数の規格のいずれかに準拠した光ディスクを再生するコンピュータを、第１の制御手段、第２の制御手段、反射光取得手段、トラッキング判別手段、規格判別手段、及び、再生手段として機能させる。
第１の制御手段は、照射手段により照射されるレーザ光が、光ディスクに焦点が合うように対物レンズの位置を制御するフォーカス制御を行う。
第２の制御手段は、照射手段により照射されるレーザ光が、光ディスクの記録面のピット列を含むトラックに照射されるように制御するトラッキング制御を行う。
反射光取得手段は、照射手段により照射されたレーザ光の、光ディスクによる反射光の強度を取得する。
トラッキング制御手段は、第２の制御手段によるトラッキング制御が成功したか否かを判別する。
規格判別手段は、反射光取得手段により取得された強度と、トラッキング判別手段による判別結果とに基づいて、光ディスクの規格の種別を判別する。
再生手段は、規格判別手段により判別された判別結果に基づいて、光ディスクに記録されたデータを読み出して再生する。
そして、規格判別手段は、反射光取得手段により取得された強度が第１の閾値以上で、且つ、トラッキング判別手段によりトラッキング制御が成功したと判別された場合、光ディスクが第１の規格に準拠した光ディスクであると判別し、反射光取得手段により取得された強度が第１の閾値以上で、且つ、トラッキング判別手段によりトラッキング制御が成功しないと判別された場合、光ディスクが第２の規格に準拠した光ディスクであると判別する。
【００１５】
また、本発明のプログラムは、コンパクトディスク、フレキシブルディスク、ハードディスク、光磁気ディスク、ディジタルビデオディスク、磁気テープ、半導体メモリ等のコンピュータ読取可能な情報記憶媒体に記録することができる。
上記プログラムは、プログラムが実行されるコンピュータとは独立して、コンピュータ通信網を介して配布・販売することができる。また、上記情報記憶媒体は、コンピュータとは独立して配布・販売することができる。
【発明の効果】
【００１６】
本発明によれば、光ディスクの規格の種別を判別して再生するために好適な光ディスク再生装置、光ディスク再生方法、ならびに、プログラムを提供することができる。
【発明を実施するための最良の形態】
【００１７】
（実施形態１）
以下、本実施形態に係る光ディスク再生装置１００の構成を説明する。
【００１８】
図１は、光ディスク再生装置１００の構成を示す図である。光ディスク再生装置１００は、光ディスクドライブ１０１、入力部１０２、出力部１０３、Ｉ／Ｆ１０４、記憶部１０５、ＲＯＭ（Read Only Memory）１０６、ＲＡＭ（Random Access Memory）１０７、制御部１０８、及び、システムバス１０９を備える。
【００１９】
図２は、光ディスクドライブ１０１の構成を示す図（光ディスクの回転軸に垂直な方向から見た図）である。光ディスクドライブ１０１は、光ピックアップ部２０１を備える。さらに光ピックアップ部２０１は、レーザ光源２０２、対物レンズ２０３、及び、フォトディテクタ２０４を備える。
【００２０】
光ディスクドライブ１０１は、ＢＤ、ＨＤＤＶＤ、ＤＶＤ、及び、ＣＤの４つの規格に準拠した光ディスクを再生できるドライブ装置であり、これらの光ディスクからデータを読み出すことができる。光ディスクドライブ１０１に光ディスクが装着されると、光ディスクドライブ１０１は、制御部１０８の制御により、光ディスクをモータ（図示せず）で回転させ、レーザ光源２０２から光ディスクのデータ記録面に向かって所定波長のレーザ光を照射する。典型的にはこのレーザ光の波長は約６５０ナノメートル（ｎｍ）、対物レンズ２０３の開口数は約０．６であり、ＤＶＤ規格の光ディスクからデータを読み出して再生するときに用いられる波長、開口数と同程度である。光ディスクドライブ１０１のフォトディテクタ２０４は、照射したレーザ光の光ディスクによる反射光を集光しデータに変換する。制御部１０８は、フォトディテクタ２０４により取得されたレーザ光の反射光の信号強度に基づいて、光ディスクドライブ１０１に装着された光ディスクの規格の種別を判別する。制御部１０８が行うこの処理（以下、「メディア判別処理」と呼ぶ）の詳細については後述する。
制御部１０８は、光ディスクドライブ１０１を制御して、メディア判別処理で判別された規格の種別に応じて所定の波長、所定の開口数に切り替えてレーザ光源２０２からレーザ光を照射し、フォトディテクタ２０４で反射光を集光して、光ディスクに記録されたデータを読み出して再生する制御を行う。再生処理に用いるレーザ光の波長と対物レンズの開口数は、典型的には、光ディスクの規格の種別が「ＢＤ」の場合、レーザ光の波長が約４０５ｎｍ、開口数が約０．８５である。「ＨＤＤＶＤ」の場合、レーザ光の波長が約４０５ｎｍ、開口数が約０．６５である。「ＤＶＤ」の場合、レーザ光の波長が約６５０ｎｍ、開口数が約０．６である。「ＣＤ」の場合、レーザ光の波長が約７８０ｎｍ、開口数が約０．４５である。再生処理に用いるレーザ光の波長や開口数などの所定値は、ＲＯＭ１０６等に予め記憶される。また、再生動作に用いるレーザ光の波長や開口数などの所定値を予め記憶した動作プログラムを制御部１０８が実行することにより実現されてもよい。
【００２１】
このように、光ディスクドライブ１０１は、光ディスクの規格の種別を判別するために、１種類の波長のレーザ光、１種類の開口数を用いるので、レーザ光の切り替えが不要である。結果として、本実施形態の光ディスクドライブ１０１は、従来より早くメディア判別を行うことができる。
【００２２】
入力部１０２は、操作キーや操作ボタン（いずれも図示せず）などから構成される。入力部１０２は、操作キー等を用いてユーザから入力される指示入力（例えば、再生開始の指示入力など）やデータ入力に基づいて入力信号を生成して、制御部１０８に入力する。これにより、ユーザは、所望の操作指示を行うことができる。なお、操作キーや操作ボタンの代わりに、あるいはこれらに加えて、操作スイッチや音声入力装置など他の入力装置を備えていてもよい。
【００２３】
出力部１０３は、ＬＣＤ（Liquid Crystal Display）などの表示装置に接続される。出力部１０３は、制御部１０８の制御により、光ディスクドライブ１０１が光ディスクから読み出した画像データを、制御部１０８や出力部１０３が備える画像演算プロセッサ（図示せず）によって加工処理した後、出力部１０３が備える出力バッファ（図示せず）に記録する。出力バッファに記録された画像情報は、所定の同期タイミングで画像信号に変換され、出力部１０３に接続される表示装置に出力される。これにより、映像データの再生が可能となる。なお、表示装置は上記のものに限られず任意に変更した実施形態を採用することができる。
【００２４】
また、出力部１０３は、スピーカなどの音声出力装置に接続される。出力部１０３は、制御部１０８の制御により、光ディスクドライブ１０１が光ディスクから読み出した音声データを、出力部１０３が備えるＤ／Ａコンバータ（図示せず）によってディジタル・アナログ変換して復調した後、音声出力装置に出力する。これにより、音声データの再生が可能となる。
【００２５】
Ｉ／Ｆ１０４は、メモリカード等の外部記録媒体との接続を行いデータの入出力を行うインタフェースである。例えば、ＵＳＢ（Universal Serial Bus）接続により光ディスク再生装置１００と外部機器とを接続して、外部機器との間でデータの入出力を行うことができる。
【００２６】
記憶部１０５は、フラッシュメモリやハードディスクドライブなどの記憶装置を備え、制御部１０８の制御により様々なデータを記憶する。
【００２７】
ＲＯＭ１０６は、光ディスク再生装置１００全体の動作制御に必要なオペレーティングシステム（ＯＳ）、プログラム、各種のデータを記憶する。
【００２８】
ＲＡＭ１０７は、データやプログラムを一時的に記憶するためのもので、光ディスクドライブ１０１により光ディスクから読み出されたデータなどが保持される。また、制御部１０８は、ＲＡＭ１０７に変数領域を設け、この変数に格納された値に対して演算を行ったり、ＲＡＭ１０７に格納された値を一旦レジスタに格納してからレジスタに対して演算を行い、演算結果をＲＡＭ１０７に書き戻す、などの処理を行う。
【００２９】
制御部１０８は、ＣＰＵ（Central Processing Unit）から構成され、光ディスク再生装置１００全体の動作を制御し、各構成要素と接続され制御信号やデータをやりとりする。制御部１０８は、レジスタ（図示せず）という高速アクセスが可能な記憶域に対してＡＬＵ（Arithmetic Logic Unit）（図示せず）を用いて加減乗除等の算術演算や、論理和、論理積、論理否定等の論理演算、ビット和、ビット積、ビット反転、ビットシフト、ビット回転等のビット演算などを行うことができる。また、制御部１０８は、マルチメディア処理対応のための加減乗除等の飽和演算や、三角関数等、ベクトル演算などを高速に行えるように構成されている。あるいはコプロセッサを備えて実現されてもよい。
【００３０】
例えば、制御部１０８は、後述するメディア判別処理を行って、光ディスクドライブ１０１に装着された光ディスクの規格の種別を判別する。また、制御部１０８は、メディア判別処理による判別結果に基づいて、レーザ光の所定の波長、対物レンズの所定の開口数に切り替えて再生を行う。その結果、光ディスク再生装置１００は、複数の規格の光ディスクを再生することができる。例えば、制御部１０８は、光ディスクドライブ１０１を制御して、ＤＶＤ規格、ＨＤＤＶＤ規格、ＢＤ規格、ＣＤ規格の光ディスクに記憶された映像データ（又は音声データなど）を読み出してデコードし、映像信号（又は音声信号など）に変換して映像（又は音声）を出力する。制御部１０８は、ＲＯＭ１０６等に予め記憶された再生用プログラムを随時読み出して実行することにより再生する。
【００３１】
システムバス１０９は、光ディスクドライブ１０１、入力部１０２、出力部１０３、Ｉ／Ｆ部１０４、記憶部１０５、ＲＯＭ１０６、ＲＡＭ１０７、及び、制御部１０８との間で命令やデータを転送するための伝送経路である。
【００３２】
次に、制御部１０８が行うメディア判別処理について説明する。本実施形態では、制御部１０８は、反射光の強度が、第１の閾値以上か、第２の閾値以上か、第３の閾値以上か、あるいは、第４の閾値以上かに基づいて、光ディスクに用いられている規格の種別を判別する。ここで、それぞれの閾値の大きさは「第４の閾値＜第３の閾値＜第２の閾値＜第１の閾値」の大小関係を満たす予め得られた値である。また、本実施形態では、判別する規格として、ＤＶＤ、ＨＤＤＶＤ、ＣＤ、ＢＤの４つを用いる。ただし、判別する規格の種別はこれらの組み合わせに限定されない。以下詳述する。
【００３３】
図３は、メディア判別処理を説明するためのフローチャートである。
【００３４】
まず、制御部１０８は、光ディスクドライブ１０１を制御して、フォーカスサーボ制御を行う（ステップＳ３０１）。フォーカスサーボ制御は、レーザ光の出力と光ディスクの記録面の焦点とを合わせる制御である。このフォーカスサーボ制御で用いられるレーザ光の波長及び対物レンズの開口数は、ＤＶＤ規格の光ディスクからデータを読み出して再生するときに用いられる波長及び開口数である。具体的には、制御部１０８は、光ディスクドライブ１０１を制御して光ディスクの記録面に所定波長のレーザ光を照射し、フォトディテクタ２０４で得られた反射光を示す電気信号（電流）をフォーカスコイルに流し、この電気信号の大きさに基づいて光ピックアップ部２０１を光ディスクの記録面に垂直な方向（図２の縦方向）に動かして調整する。
【００３５】
例えば、フォーカスサーボ制御は、レーザ光の焦点がずれるとフォトディテクタ２０４が検出する反射光のスポット形状が変わる非点収差法等を利用して行われる。すなわち、レーザ光の焦点が合っていれば、フォトディテクタ２０４が検出する反射光のスポット形状は真円になり、レーザ光の焦点が記録面より前もしくは後ろにずれていれば、スポット形状は楕円になる。制御部１０８は、フォトディテクタ２０４が検出する反射光のスポット形状が真円になるように光ピックアップ部２０１の位置を制御する。
【００３６】
次に、制御部１０８は、レーザ光の反射光の強度を取得し（ステップＳ３０２）、取得した反射光の強度が第１の閾値以上であるか否かを判別する（ステップＳ３０３）。
【００３７】
取得した反射光強度が第１の閾値以上であると判別された場合（ステップＳ３０３；ＹＥＳ）、制御部１０８は、光ディスクドライブ１０１に装着された光ディスクがＤＶＤであると判別する（ステップＳ３０４）。
【００３８】
一方、取得した反射光強度が第１の閾値に満たないと判別された場合（ステップＳ３０３；ＮＯ）、制御部１０８は、反射光強度が第２の閾値以上であるか否かを判別する（ステップＳ３０５）。
【００３９】
取得した反射光強度が第２の閾値以上であると判別された場合（ステップＳ３０５；ＹＥＳ）、制御部１０８は、光ディスクドライブ１０１に装着された光ディスクがＨＤＤＶＤであると判別する（ステップＳ３０６）。
【００４０】
一方、取得した反射光強度が第２の閾値に満たないと判別された場合（ステップＳ３０５；ＮＯ）、制御部１０８は、反射光強度が第３の閾値以上であるか否かを判別する（ステップＳ３０７）。
【００４１】
取得した反射光強度が第３の閾値以上であると判別された場合（ステップＳ３０７；ＹＥＳ）、制御部１０８は、光ディスクドライブ１０１に装着された光ディスクがＣＤであると判別する（ステップＳ３０８）。
【００４２】
一方、取得した反射光強度が第３の閾値に満たないと判別された場合（ステップＳ３０７；ＮＯ）、制御部１０８は、反射光強度が第４の閾値以上であるか否かを判別する（ステップＳ３０９）。
【００４３】
取得した反射光強度が第４の閾値以上であると判別された場合（ステップＳ３０９；ＹＥＳ）、制御部１０８は、光ディスクドライブ１０１に装着された光ディスクがＢＤであると判別する（ステップＳ３１０）。
【００４４】
一方、取得した反射光強度が第４の閾値に満たないと判別された場合（ステップＳ３０９；ＮＯ）、制御部１０８は、光ディスクドライブ１０１には読み取り可能な光ディスクが装着されていないと判別する（ステップＳ３１１）。なお、光ディスクそのものが装着されていなかったり、所定の規格ではない他の規格で記録された情報記録媒体が装着されたりした場合に、読み取り可能な光ディスクが装着されていないと判別される。
【００４５】
それぞれの閾値と判別結果との対応関係をまとめると図４のようになる。すなわち、制御部１０８は、照射したレーザ光の、光ディスクの記録面による反射光の強度が、第１の閾値以上であれば「ＤＶＤ」と判別し、第２の閾値以上第１の閾値未満であれば「ＨＤＤＶＤ」と判別し、第３の閾値以上第２の閾値未満であれば「ＣＤ」と判別し、第４の閾値以上第３の閾値未満であれば「ＢＤ」と判別し、第４の閾値未満であれば「ディスクなし」と判別する。
【００４６】
なお、制御部１０８は、光ディスクドライブ１０１を制御して、メディア判別処理を行って得られた判別結果に基づいてレーザ光の波長や対物レンズの開口数等を設定して、光ディスクからデータの読み出しができるように設定する。そして、例えばユーザから光ディスクを再生する指示入力を受け付けると、制御部１０８は光ディスクからデータを読み出して再生する。
【００４７】
このように、本実施形態によれば、光ディスク再生装置１００は、光ディスクの規格の種別を判別するためにレーザ光の切り替えをする必要が無く、従来よりも速く且つ容易に規格を判別することができる。そして、光ディスク再生装置１００は、判別結果に基づいて複数の規格の光ディスクを再生することができる。例えば、従来のように、ＢＤを読み出し可能なレーザ光を用いて行うフォーカスサーボ制御、ＨＤＤＶＤを読み出し可能なレーザ光を用いて行うフォーカスサーボ制御、ＤＶＤを読み出し可能なレーザ光を用いて行うフォーカスサーボ制御、及び、ＣＤを読み出し可能なレーザ光を用いて行うフォーカスサーボ制御、を使い分けて規格を判別する必要はない。
【００４８】
（実施形態２）
次に、本発明の他の実施形態について説明する。本実施形態では、制御部１０８は、反射光の強度が、第１の閾値以上か、第２の閾値以上か、あるいは、第３の閾値以上かに基づいて、光ディスクの規格の種別を判別する。ここで、それぞれの閾値の大きさは「第３の閾値＜第２の閾値＜第１の閾値」の大小関係を満たす予め得られた値である。また、制御部１０８はフォーカスサーボ制御に加えてトラッキングサーボ制御を行って規格を判別する点が上述の実施形態と異なる。本実施形態では、判別する規格の種別として、ＤＶＤ、ＨＤＤＶＤ、ＣＤ、ＢＤの４つを用いる。ただし、判別する規格の種類はこれらの組み合わせに限定されない。以下詳述する。
【００４９】
図５は、本実施形態の制御部１０８が行うメディア判別処理を説明するためのフローチャートである。
【００５０】
まず、制御部１０８は、光ディスクドライブ１０１を制御して、フォーカスサーボ制御を行う（ステップＳ５０１）。このフォーカスサーボ制御で用いられるレーザ光の波長及び対物レンズの開口数は、ＤＶＤ規格の光ディスクからデータを読み出して再生するときに用いられる波長及び開口数である。
【００５１】
次に、制御部１０８は、レーザ光の反射光強度を取得し（ステップＳ５０２）、取得した反射光強度が第１の閾値以上であるか否かを判別する（ステップＳ５０３）。
【００５２】
取得した反射光強度が第１の閾値以上であると判定された場合（ステップＳ５０３；ＹＥＳ）、制御部１０８は、光ディスクドライブ１０１を制御してトラッキングサーボ制御を行う（ステップＳ５０４）。トラッキングサーボ制御は、光ディスクの記録面に刻まれたピットのトラックを正確にトレースして、ピットに正しくレーザ光が照射されるようにする制御である。具体的には、制御部１０８は、光ディスクドライブ１０１を制御して光ディスクの記録面に所定波長のレーザ光を照射し、フォトディテクタ２０４で得られた反射光を示す電気信号（電流）をトラッキングコイルに流し、この電気信号の大きさに基づいて光ピックアップ部２０１を光ディスクの記録面に並行な方向（図２の横方向）に動かして調整する。
【００５３】
トラッキングサーボ制御を行ってトラッキングに成功した場合（ステップＳ５０５；ＹＥＳ）、制御部１０８は、光ディスクドライブ１０１に装着された光ディスクがＤＶＤであると判別する（ステップＳ５０６）。すなわち、本実施形態では、このメディア判別処理で用いるレーザ光の波長と対物レンズの開口数とが、ＤＶＤからデータを読み出して再生するときに用いる値であるため、トラッキングに成功すれば光ディスクがＤＶＤであると判別することができる。
【００５４】
一方、トラッキングに成功しなかった場合（ステップＳ５０５；ＮＯ）、制御部１０８は、光ディスクドライブ１０１に装着された光ディスクがＨＤＤＶＤであると判別する（ステップＳ５０７）。本実施形態では、ＤＶＤとＨＤＤＶＤからの読み出しに用いる開口数は同じであり、レーザ光の波長が異なるため、フォーカスサーボ制御を行うときの反射光強度が第１の閾値以上であっても、トラッキングに成功したか否かに基づいてＤＶＤかＨＤＤＶＤかを判別することができる。
【００５５】
ステップＳ５０３に戻り、取得した反射光強度が第１の閾値以上でないと判定された場合（ステップＳ５０３；ＮＯ）、制御部１０８は、反射光強度が第２の閾値以上であるか否かを判別する（ステップＳ５０８）。
【００５６】
取得した反射光強度が第２の閾値以上であると判別された場合（ステップＳ５０８；ＹＥＳ）、制御部１０８は、光ディスクドライブ１０１に装着された光ディスクがＣＤであると判別する（ステップＳ５０９）。
【００５７】
一方、取得した反射光強度が第２の閾値に満たないと判別された場合（ステップＳ５０８；ＮＯ）、制御部１０８は、反射光強度が第３の閾値以上であるか否かを判別する（ステップＳ５１０）。
【００５８】
取得した反射光強度が第３の閾値以上であると判別された場合（ステップＳ５１０；ＹＥＳ）、制御部１０８は、光ディスクドライブ１０１に装着された光ディスクがＢＤであると判別する（ステップＳ５１１）。
【００５９】
一方、取得した反射光強度が第３の閾値に満たないと判別された場合（ステップＳ５１０；ＮＯ）、制御部１０８は、光ディスクドライブ１０１には読み取り可能な光ディスクが装着されていないと判別する（ステップＳ５１２）。なお、光ディスクそのものが装着されていなかったり、所定の規格ではない他の規格で記録された情報記録媒体が装着されたりした場合に、読み取り可能な光ディスクが装着されていないと判別される。
【００６０】
それぞれの閾値と判別結果との対応関係をまとめると図６のようになる。すなわち、制御部１０８は、照射したレーザ光の、光ディスクの記録面による反射光の強度が、第１の閾値以上であれば「ＤＶＤ又はＨＤＤＶＤ」と判別する。さらに、制御部１０８は、トラッキングに成功すれば「ＤＶＤ」であると判別し、成功しなければ「ＨＤＤＶＤ」であると判別する。また、制御部１０８は、反射光強度が第２の閾値以上第１の閾値未満であれば「ＣＤ」と判別し、第３の閾値以上第２の閾値未満であれば「ＢＤ」と判別し、第３の閾値未満であれば「ディスクなし」と判別する。
【００６１】
なお、制御部１０８は、光ディスクドライブ１０１を制御して、メディア判別処理を行って得られた判別結果に基づいてレーザ光の波長や対物レンズの開口数等を設定して、光ディスクからデータの読み出しができるように設定する。そして、例えばユーザから光ディスクを再生する指示入力を受け付けると、制御部１０８は光ディスクからデータを読み出して再生する。
【００６２】
このように、本実施形態によれば、光ディスク再生装置１００は、光ディスクの種別を判別するためにレーザ光の切り替えをする必要が無く、従来よりも速く且つ容易に規格を判別することができる。そして、光ディスク再生装置１００は、判別結果に基づいて複数の規格の光ディスクを再生することができる。また、メディア判別処理に用いる閾値の数が少なく、取得した反射光強度の誤差やフォトディテクタ２０４の性能誤差による判定結果への影響を少なくすることができるので、判定の精度が増す。
【００６３】
本発明は、上述した実施形態に限定されず、種々の変形及び応用が可能である。
【００６４】
上述した実施形態では、ＢＤ、ＨＤＤＶＤ、ＤＶＤ、ＣＤの各規格の光ディスクの種別を判別しているが、ＤＶＤを含む任意の組み合わせを用いた実施形態を採用することも可能である。例えば、ＢＤ、ＤＶＤ、ＣＤの３つの規格の光ディスクを判別したり、ＨＤＤＶＤ、ＤＶＤ、ＣＤの３つの規格の光ディスクを判別したりするように構成することもできる。
【００６５】
上述した実施形態では、メディア判別処理に用いるレーザ光の波長及び対物レンズの開口数として、ＤＶＤからデータを読み出して再生するときに用いられる値を採用しているがこれに限定されない。例えば、複数の所定の規格を判別することができる他の波長、開口数を用いた変形例を採用することもできる。
【００６６】
光ディスク再生装置１００の制御部１０８は、上述したメディア判別処理を、光ディスクドライブ１０１に情報記録媒体が装着されたことを検知したときに行うのが典型的であるが、メディア判別処理を行うタイミングは任意である。
【００６７】
本発明によれば、短時間で容易にメディアの判別をすることができる複数メディア対応光ディスク再生装置を提供することができる。
【００６８】
光ディスク再生装置１００は、ＢＤ、ＨＤＤＶＤ、ＤＶＤ、ＣＤといった所定の規格の光ディスクを再生するだけでなく、各規格に従って光ディスクにデータを書き込む記録手段を更に備えていてもよい。例えば、光ディスクにデータを書き込むときに、書き込み先の光ディスクの規格の種別を判別して、判別結果に基づいて書き込み処理に用いるレーザ光の波長や開口数などを所定値に設定するように構成することもできる。書き込み処理に用いるレーザ光の波長や開口数などの所定値は、ＲＯＭ１０６等に予め記憶される。または、書き込み処理に用いるレーザ光の波長や開口数などの所定値を予め記憶した動作プログラムを制御部１０８が実行することにより実現されてもよい。これにより、短時間で容易にメディアの判別をすることができる複数メディア対応光ディスク記録装置を提供することができる。
【００６９】
以上説明したように、本発明によれば、光ディスクの規格の種別を判別して再生するために好適な光ディスク再生装置、光ディスク再生方法、ならびに、プログラムを提供することができる。
【図面の簡単な説明】
【００７０】
【図１】光ディスク再生装置の構成を説明するための図である。
【図２】光ディスクドライブの構成を説明するための図であり、光ディスクの回転軸に垂直な方向から見た図である。
【図３】メディア判別処理を説明するためのフローチャートである。
【図４】反射光強度と判別結果との対応関係を示す図である。
【図５】実施形態２のメディア判別処理を説明するためのフローチャートである。
【図６】実施形態２の反射光強度と判別結果との対応関係を示す図である。
【符号の説明】
【００７１】
１００  光ディスク再生装置
１０１  光ディスクドライブ
１０２  入力部
１０３  出力部
１０４  Ｉ／Ｆ
１０５  記憶部
１０６  ＲＯＭ
１０７  ＲＡＭ
１０８  制御部
１０９  システムバス
２０１  光ピックアップ部
２０２  レーザ光源
２０３  対物レンズ
２０４  フォトディテクタ
【図１】
2008041168.tif 000003
【図２】
2008041168.tif 000004
【図３】
2008041168.tif 000005
【図４】
2008041168.tif 000006
【図５】
2008041168.tif 000007
【図６】
2008041168.tif 000008